(57)【特許請求の範囲】
【請求項１】
(Ａ)(イ)主弁座に向けて進退移動し、主水路を開閉する主弁と、(ロ)該主弁の背後に形成され、内部の圧力を該主弁に対し閉弁方向の押圧力として作用させる背圧室と、(ハ)該主弁を貫通し、前記主水路における１次側の水を該背圧室に導入して該背圧室の圧力を増大させる導入小孔と、(ニ)該背圧室の水を抜いて該背圧室の圧力を減少させるパイロット水路と、(ホ)該パイロット水路を開閉するパイロット弁と、を備えた給水弁及び（Ｂ）前記導入小孔に挿通され、前記主弁の進退移動時に該導入小孔内を摺動運動してクリーニング作用するクリーニングピンを有して成る給水弁装置において、
前記クリーニングピンの前記主弁を突き抜けた先端側の部分に、前記導入小孔内を摺動運動するストレート形状部に対して曲り形状をなし、該主弁に対し前記クリーニングピンの抜け方向に掛止する掛止部が設けてあり、
前記背圧室の内部にはコイルばねが設けてあって該コイルばねの一端側が前記主弁に、他端側が前記背圧室の底部にそれぞれ当接させてあり、
前記クリーニングピンが該コイルばねの前記他端側から延び出す形態で該コイルばねに一体に構成してあるとともに、
該クリーニングピンの先端の前記掛止部は、前記ストレート形状部に対して折れ曲がった傾斜形状且つその傾斜方向にストレート形状をなしており、該掛止部を前記導入小孔内に挿入した状態で前記クリーニングピンに対して強く押込力を加えると、該導入小孔内で該掛止部が広がり方向に弾性変形して該導入小孔を通過可能となしてあることを特徴とする給水弁装置。
【請求項２】
請求項１において、前記導入小孔が前記主弁の中心から偏心した位置に設けてあり、
前記クリーニングピンの前記掛止部が、前記主弁の中心側に向う内向きの曲り形状で設けてあることを特徴とする給水弁装置。
【発明の詳細な説明】
【技術分野】
【０００１】
この発明は給水弁装置に関し、詳しくはクリーニングピンを備えた給水弁装置に関する。
【背景技術】
【０００２】
従来、給水弁として背圧室の圧力で主弁を閉弁方向に押圧し、その背圧室の圧力をパイロット弁の進退移動で制御するようになしたものが知られている。
この種給水弁は、(イ)主弁座に向けて進退移動し、主水路を開閉する主弁と、(ロ)主弁の背後に形成され、内部の圧力を主弁に対し閉弁方向の押圧力として作用させる背圧室と、(ハ)主弁を貫通し、主水路における１次側の水を背圧室に導入して背圧室の圧力を増大させる導入小孔と、(ニ)背圧室の水を抜いて背圧室の圧力を減少させるパイロット水路と、(ホ)パイロット水路を開閉するパイロット弁とを備えて構成されている。
【０００３】
ところで、この種給水弁にあっては導入小孔に微細な砂やゴミ等の異物が詰まる問題があり、而して導入小孔にそれらの異物が詰まると、主水路における１次側の水が導入小孔を通じて背圧室へと流入できなくなり、給水弁が動作不良に陥ってしまう。
多くの場合、主弁が閉弁できなくなることによって、水が出っ放しとなってしまうといった不具合を生じる。
【０００４】
このようなことから、この種の給水弁を有する給水弁装置において、主弁の導入小孔を挿通するクリーニングピンを設け、主弁の進退移動時にクリーニングピンを導入小孔内で相対摺動運動させて、導入小孔をクリーニング作用させることが行われている。
例えば下記特許文献１，特許文献２に、上記の給水弁及び主弁の導入小孔をクリーニング作用するクリーニングピンを備えた給水弁装置が開示されている。
【０００５】
ところで特許文献１，特許文献２に開示のものも含めて、従来の給水弁装置ではクリーニングピンが先端に到るまでストレート形状とされている。
従ってメンテナンス時等に主弁を他部品から分解して取り出したときにクリーニングピンが導入小孔、即ち主弁から容易に抜けてしまう。
このときクリーニングピンが他部品に対して固定されておらず、単独の部品として非固定の状態にあると（特許文献２に開示のものではそのようになっている）、主弁から抜けたクリーニングピンを落下させる等して紛失してしまうことがある。
【０００６】
またクリーニングピンが他部品に対して固定してあった場合であっても、一旦クリーニングピンが主弁の導入小孔から抜けてしまうと、再び組み付ける際にクリーニングピンを導入小孔に挿通作業しなければならず、再組付けに面倒を伴う問題がある（この点はクリーニングピンが非固定で単独の部品として構成してある場合においても同様）。
またクリーニングピンを他部品に固定しておく場合には固定用の部材が別途に必要となり、所要部品点数が多くなってしまう。
【０００７】
この点、特許文献１に開示のものではクリーニングピンを背圧室側のケーシングにインサート成形にて一体化しており、固定のための別部品は必要としないものの、圧力室側のケーシングを成形する際に、クリーニングピンを成形型の所定部位にインサートとしてセットしておくことが必要で、部品成形の際の作業が煩雑となり、また生産性が悪化してしまう。
【０００８】
尚、特許文献１にはクリーニングピンの基端部をＬ字状に曲げて、インサート成形の際にその基端部を圧力室側のケーシングに埋込状態とする点が開示されている。
但しこのＬ字状に曲った部分はクリーニングピンを圧力室側のケーシングに対して固定し且つ固定力を高めることを目的としたもので、この特許文献１に開示のものは本発明の課題を解決することはできず、本発明とは別異のものである。
【先行技術文献】
【特許文献】
【０００９】
【特許文献１】特開２００２−２５０４５２号公報
【特許文献２】特開２００１−３３６６６６号公報
【発明の概要】
【発明が解決しようとする課題】
【００１０】
本発明は以上のような事情を背景とし、工場での組付時や設置現場でのメンテナンス作業時にクリーニングピンが主弁から外れ紛失してしまうのを防止でき、また組付性が良くて、しかもクリーニングピンの外れ防止のための特別の部品を必要とせず、所要部品点数が少なくて済む給水弁装置を提供することを目的としてなされたものである。
【課題を解決するための手段】
【００１１】
而して請求項１のものは、(Ａ)(イ)主弁座に向けて進退移動し、主水路を開閉する主弁と、(ロ)該主弁の背後に形成され、内部の圧力を該主弁に対し閉弁方向の押圧力として作用させる背圧室と、(ハ)該主弁を貫通し、前記主水路における１次側の水を該背圧室に導入して該背圧室の圧力を増大させる導入小孔と、(ニ)該背圧室の水を抜いて該背圧室の圧力を減少させるパイロット水路と、(ホ)該パイロット水路を開閉するパイロット弁と、を備えた給水弁及び（Ｂ）前記導入小孔に挿通され、前記主弁の進退移動時に該導入小孔内を摺動運動してクリーニング作用するクリーニングピンを有して成る給水弁装置において、前記クリーニングピンの前記主弁を突き抜けた先端側の部分に、前記導入小孔内を摺動運動するストレート形状部に対して曲り形状をなし、該主弁に対し前記クリーニングピンの抜け方向に掛止する掛止部が設けてあり、前記背圧室の内部にはコイルばねが設けてあって該コイルばねの一端側が前記主弁に、他端側が前記背圧室の底部にそれぞれ当接させてあり、前記クリーニングピンが該コイルばねの前記他端側から延び出す形態で該コイルばねに一体に構成してあるとともに、該クリーニングピンの先端の前記掛止部は、前記ストレート形状部に対して折れ曲がった傾斜形状且つその傾斜方向にストレート形状をなしており、該掛止部を前記導入小孔内に挿入した状態で前記クリーニングピンに対して強く押込力を加えると、該導入小孔内で該掛止部が広がり方向に弾性変形して該導入小孔を通過可能となしてあることを特徴とする。
【００１２】
請求項２のものは、請求項１において、前記導入小孔が前記主弁の中心から偏心した位置に設けてあり、前記クリーニングピンの前記掛止部が、前記主弁の中心側に向う内向きの曲り形状で設けてあることを特徴とする。
【発明の作用・効果】
【００１３】
以上のように本発明は、主弁を突き抜けたクリーニングピンの先端側の部分に、導入小孔内を摺動運動するストレート形状部に対して曲り形状をなし、主弁に対し抜け方向に掛止する掛止部を設けたものである。
【００１４】
本発明の給水弁装置にあっては、クリーニングピンが主弁に対して抜け方向に移動したときに、クリーニングピンの先端側の曲り形状をなす掛止部が主弁に掛止することで、クリーニングピンが主弁から抜け、外れてしまうのを有効に防止することができる。
【００１５】
従って本発明によれば、工場での組付時や現場でのメンテナンス作業時に、主弁からクリーニングピンが外れて紛失してしまうのを防止することができる。
また一旦外れたクリーニングピンを主弁の導入小孔に挿通作業するといったことが必要ないので、工場での組付けや現場でのメンテナンス作業が容易となる。
【００１６】
またクリーニングピンを主弁以外の他部品に固定しておく必要もなくなるので、固定のための部品点数が多くなるといったこともなく、給水弁装置の所要部品点数を少なくし得、またコストを低減することができる。
更にクリーニングピンを主弁以外の他部品に固定するための工数を不要化することができる。
【００１７】
本発明において掛止部の曲り形状は、上記主弁から最も離隔した位置の曲りの終端が、ストレート形状部の延長線から軸直角方向に０．５〜３．０ｍｍの範囲内で偏位した位置に位置する形状としておくことが望ましい。
本発明においては、曲り部（掛止部）を直線状に傾斜した形状としておく。
この場合においてその曲りの角度は上記ストレート形状部に対して５°〜４５°の範囲内の角度としておくことが望ましい。
また本発明では上記主弁をダイヤフラム弁となしておくことができる。
【００１８】
本発明では、上記背圧室の内部にコイルばねを設けてその一端側を主弁に、他端側を背圧室の底部にそれぞれ当接させ、そしてそのコイルばねの他端側から延び出す形態で上記クリーニングピンをコイルばねに一体に構成しておく。
【００１９】
このようにしておけば、コイルばねを設置すると同時にクリーニングピンを設置でき且つ主弁の進退移動時にクリーニングピンを固定状態に保持することができる。その結果、主弁の進退移動に伴ってクリーニングピンを導入小孔内で相対摺動運動させることができ、クリーニングピンによるクリーニング作用を良好に発揮させることができる。
またコイルばねは特別な固定手段にて固定する必要はなく、単に主弁と背圧室の底部との間に介在させるだけで良いため、コイルばねの取付け及びクリーニングピンの取付けを簡単に行うことができる。
【００２０】
本発明ではまた、導入小孔を主弁の中心から偏心した位置に設け、そしてクリーニングピンの上記の掛止部を、主弁の中心側に向う内向きの曲り形状で設けておくことができる（請求項２）。
【００２１】
クリーニングピンの掛止部を、これとは逆向きの外向き方向の曲り形状で設けておくといったことも可能であるが、この場合、曲り形状をなすクリーニングピンの先端側を主弁の導入小孔に挿入する際に導入小孔が見にくく、作業が行いづらい。
しかるに掛止部を内向きの曲り形状となしておいた場合導入小孔が見易く、従ってこれを主弁の導入小孔に挿入する際の作業性が良く、主弁に対するクリーニングピンの組付けを作業性良く簡単に行うことができる利点が得られる。
【図面の簡単な説明】
【００２２】
【図１】本発明の適用対象の一例であるボールタップ装置を洗浄タンクの内部構造とともに示した図である。
【図２】同ボールタップ装置を給水弁装置とともに示した図である。
【図３】同ボールタップ装置における本発明の一実施形態の給水弁装置を周辺部とともに示した図である。
【図４】図３の給水弁装置を閉弁状態と開弁状態とで示した図である。
【図５】同実施形態におけるクリーニングピンの単品図である。
【図６】同実施形態におけるクリーニングピンの作用説明図である。
【図７】参考例の要部の図である。
【発明を実施するための形態】
【００２３】
次に本発明をボールタップ装置における給水弁装置に適用した場合の実施形態を図面に基づいて詳しく説明する。
図１において、１０は洗浄タンクで樹脂製のアウタタンク１２と、その内側の樹脂製のインナタンク１４との２重タンク構造をなしている。
アウタタンク１２の上部には、その蓋を兼用した樹脂製の手洗鉢１６が設けられており、この手洗鉢１６から起立する形態で手洗吐水管１８が手洗鉢１６に設けられている。
手洗鉢１６の底部には排水口２０が設けられており、手洗吐水管１８から吐水された手洗水が、この排水口２０から洗浄タンク１０内部へと落下する。
【００２４】
２２は、洗浄タンク１０内部に配設されたボールタップ装置で、その本体部２４がインナタンク１４に取り付けられ、そしてその本体部２４に対して給水管２６が接続されている。
給水管２６を通じて供給された水は、ボールタップ装置２２の後述の図２に示す給水弁５８の開弁によって洗浄タンク１０内部に給水され、また給水弁５８の閉弁によって給水停止される。
【００２５】
ボールタップ装置２２は、洗浄タンク１０内部の洗浄水の水位に連動して昇降するフロート２８と、フロート２８と給水弁５８とを連繋する連繋アーム３０とを有している（フロート２８及び連繋アーム３０は何れも樹脂製）。
また連繋アーム３０は、アーム部３２と、その先端から下向きに延びる軸部３４とを有しており、その軸部３４に対してフロート２８が組み付けられている。
【００２６】
洗浄タンク１０の壁部には、洗浄ハンドル３６が回転可能に設けられている。
３８は、洗浄タンク１０内部において洗浄ハンドル３６に連動して回動する、Ｌ字状をなす作用レバーで、その先端が鎖４０を介して図示を省略する排水弁に連結されている。
その排水弁は、洗浄ハンドル３６の回転操作によって閉弁状態から開弁させられ、これにより洗浄タンク１０内部に貯えられている洗浄水が、洗浄タンク１０底部の排出口から便器に向けて勢い良く排出せしめられる。
【００２７】
図２において、４４はボールタップ装置２２における本体ボデーで全体として筒状をなしている。
この本体ボデー４４の図２中左端部には図１の給水管２６が接続され、また右端部には、本体ボデー４４とは別体をなし且つ筒状をなすソケット状の分岐管４６の左端部が外嵌状態に接続されている。
更にこの分岐管４６の図中右端部には、補給水管４８が接続されている。
補給水管４８は便器に補給水を供給するためのもので、図１に示しているようにその先端側がアダプタを介して洗浄タンク１０内部のオーバーフロー管４２に組み付けられ、補給水管４８からの補給水がオーバーフロー管４２内に流入するようになっている。
この実施形態において、補給水管４８はゴムチューブから成っている。
【００２８】
分岐管４６には、本体ボデー４４からの水を洗浄タンク、具体的にはインナタンク１４内に吐水する筒状の吐水口５０と、図１の手洗吐水管１８に向けて供給するための筒状の供給口５２とが一体に設けられている。
この実施形態では、供給口５２に対して、本体ボデー４４からの水を図１に示す手洗吐水管１８に導くための導水管５４の一端側が接続されている。
ここで導水管５４は蛇腹管から成っており、その先端側が手洗吐水管１８に接続されている。
【００２９】
尚、洗浄タンク１０には図１の洗浄タンク１０のように手洗吐水管１８を備えたものと、手洗吐水管１８を備えていないものとがあり、而して洗浄タンク１０が手洗吐水管１８を備えていない場合には、供給口５２に対して導水管５４を接続しないで供給口５２をそのまま開放しておく。
【００３０】
即ちこの実施形態では、手洗吐水管１８を備えている場合には供給口５２に導水管５４を接続し、また手洗吐水管１８を備えていない場合には供給口５２に導水管５４を接続せず、供給口５２をそのまま開放状態としておくことで、手洗吐水管１８有りのものと無しのものとに対して対応することができる。
【００３１】
而して洗浄タンク１０が手洗吐水管１８を備えず、供給口５２に導水管５４を接続しないで、これをそのまま開放しておく場合には、本体ボデー４４からの水は吐水口５０と供給口５２との両方とから洗浄タンク１０内に吐水される。
この場合には、供給口５２が洗浄タンク内に水を吐水する第２の吐水口となる。
【００３２】
導水管５４を供給口５２に接続しない場合には、本体ボデー４４からの水が吐水口５０と供給口５２との両方とから吐水されることから、ここでは供給口５２が吐水口５０と同じ方向且つ下方向に向けて設けられている。
但しこの実施形態では、これら吐水口５０と供給口５２とが真下向きではなく、斜め下方に向けて設けられている。
【００３３】
図２において、１００は給水弁装置で、この給水弁装置１００は本体部２４に設けられて水路（主水路）５６を連通及び連通遮断する給水弁５８と、図３に示すコイルばね９５及びこれと一体に構成されたクリーニングピン９７とを備えている。
給水弁５８は、フロート２８の昇降に伴って連繋アーム３０が軸６０周りに回動することで開弁及び閉弁せしめられる。
具体的には、フロート２８の上昇により連繋アーム３０が軸６０周りに反時計回りに回動することで、給水弁５８が閉弁せしめられ、またフロート２８の下降に伴って連繋アーム３０が軸６０周りに図中時計回りに回動運動することで、給水弁５８が開弁せしめられる。
【００３４】
而して給水弁５８が開弁すると水路５６が連通状態即ち開放状態となって、給水管２６からの水が本体ボデー４４から分岐管４６へと流れ込み、そしてその分岐管４６の吐水口５０から洗浄タンク１０内に向けて吐水され、また供給口５２を通じて手洗吐水管１８に（手洗吐水管１８がある場合）、或いは供給口５２を通じて洗浄タンク１０内に吐水される（手洗吐水管１８を備えていない場合）。
また分岐管４６に流れ込んだ水が、更に補給水管４８を通じてオーバーフロー管４２から便器へと流れ込み、便器に対して補給水が供給される。
【００３５】
本実施形態において、給水弁５８はダイヤフラム式且つパイロット式の弁とされている。
図３にその構成が具体的に示してある。
図３において、６２は給水弁５８における主弁でダイヤフラム弁から成っている。
この主弁６２は、ゴム等の弾性材から成るダイヤフラム膜６６と、これよりも硬質の（ここでは樹脂製）ダイヤフラムホルダ６８とから成っている。
【００３６】
ダイヤフラム膜６６は外周部７０が厚肉とされており、この外周部７０が、本体ボデー４４とカップ状をなすダイヤフラム押え７２とによって上下に挟持されている。そしてそれらによる挟持によってダイヤフラム膜６６の外周部７０が、本体ボデー４４に固定されている。
ここでダイヤフラム膜６６の外周部７０は同時にシール部としての働き、即ち水路５６と外部とを水密に遮断し、シールする働きをなしている。
【００３７】
このカップ状をなすダイヤフラム押え７２は、本体ボデー４４に一体に構成された円筒部７４に対して、図中下側から上向きに内嵌状態に嵌入せしめられ、そして円筒部７４の外周面の雄ねじ部７６に対して、袋ナット８０の内周面の雌ねじ部７８が螺合されることによって、ダイヤフラム押え７２が円筒部７４に即ち本体ボデー４４に固定されている。
【００３８】
即ちこの実施形態では、袋ナット８０を図中上向きにねじ込むことで、円筒部７４に内嵌状態に嵌入されたダイヤフラム押え７２が上向きに押し上げられて、かかるダイヤフラム押え７２が本体ボデー４４と協働してダイヤフラム膜６６の外周部７０を所定の締代で弾性圧縮状態に締め付ける構造となっている。
【００３９】
カップ状をなすダイヤフラム押え７２は、背圧室形成部材としての働きも有しており、ダイヤフラム弁から成る主弁６２の図中下側の背後に背圧室８２を形成している。
この背圧室８２は内部の圧力を主弁６２に対して図中上向きの閉弁方向の押圧力として作用させる。
【００４０】
一方、主弁６２には中心から偏心した位置において、水路５６における１次側と背圧室８２とを連通させる貫通の導入小孔８４が設けられている。
この導入小孔８４は、水路５６における１次側の水を背圧室８２に流入させて背圧室８２の圧力を増大させる働きをなす。
【００４１】
一方、ダイヤフラム押え７２にはその中心部にこれを貫通する水抜水路としてのパイロット水路８６が設けられている。
このパイロット水路８６は、背圧室８２内の水を抜いて背圧室８２の圧力を減少させる働きをなす。
【００４２】
上記連繋アーム３０のアーム部３２の基端部にはパイロット弁８８が設けられ、このパイロット弁８８のシール部９０がパイロット弁座９２に上向きに着座することでパイロット水路８６が閉鎖される。
【００４３】
この実施形態において、給水弁５８は次のように作用する。
即ち、図４（Ａ）に示すように給水弁５８が閉弁状態の下で、図２のフロート２８の下降により連繋アーム３０が軸６０周りに回動してパイロット弁８８がパイロット弁座９２から図中下向きに離間し開弁すると、図３の背圧室８２内の水がパイロット水路８６を通じて流出し、背圧室８２の圧力が減少する。
すると水路５６における１次側の圧力が背圧室８２の圧力に打ち勝つに到って、主弁６２が図３（Ａ）及び図４（Ａ）に示す状態から下向きに離間し開弁する。
【００４４】
そして主弁６２が開弁することで水路５６が連通状態となり、本体ボデー４４から図２の分岐管４６及び補給水管４８に向けて水が流れ込む。
ここにおいて吐水口５０，供給口５２から水が吐出され、更に補給水管４８を通じてオーバーフロー管４２から便器内に補給水が供給される。
【００４５】
一方、フロート２８の上昇に連動して連繋アーム３０が図２の軸６０周りに反時計回りに回動運動すると、フロート２８が上昇端に到ったところで、即ち洗浄タンク内の水が設定した満水状態になったところでパイロット弁８８のシール部９０がパイロット弁座９２に上向きに着座して閉弁し、ここにおいて背圧室８２からの水の流出が停止する。
【００４６】
すると導入小孔８４を通じての背圧室８２への水の流入により背圧室８２の圧力が上昇し、そしてその圧力上昇によってダイヤフラム弁から成る主弁６２が主弁座６４に上向きに着座し、閉弁する。
ここにおいて水路５６の水の流れが停止し、洗浄タンク１０及び手洗吐水管１８への給水が停止する。
【００４７】
図３（Ａ）及び図４に示しているように、背圧室８２の内部には金属製のコイルばね９５が設けられている。
コイルばね９５は、その上端側を主弁６２に当接させ、またその下端側を背圧室８２の底部即ちダイヤフラム押え７２の底部に当接させている。
従ってコイルばね９５は、主弁６２が図中上下方向に進退運動しても下端側は位置固定に保持される。
【００４８】
コイルばね９５の図中下端側からはクリーニングピン９７が上向きに延び出しており、このクリリーニングピン９７が、主弁６２における上記の導入小孔８４、具体的にはダイヤフラムホルダ６８に形成された導入小孔８４を挿通して上向きに突き出している。
このクリーニングピン９７は、主弁６２が図３及び図４中上下に進退移動する際に、導入小孔８４内を相対摺動運動してクリーニング作用し、導入小孔８４内に微細なゴミや異物が詰まるのを防止する働きをなす。
【００４９】
この実施形態において、クリーニングピン９７は、図５に示しているようにコイルばね９５の下端側から図中上向きに延びるストレート形状部１０２と、主弁６２を上向きに突き抜けた先端側の部分であってストレート形状部１０２に対し曲り形状（折曲り形状）を成す掛止部１０４とを備えている。
【００５０】
掛止部１０４は、クリーニングピン９７が主弁６２に対し抜け方向に、即ち図中下方向に相対移動したとき、主弁６２に掛止してクリーニングピン９７が主弁６２から抜け、外れるのを防止する。
【００５１】
この実施形態において、曲り形状を成す掛止部１０４は、ストレート形状部１０２に対し角度θで折れ曲った傾斜形状且つその傾斜方向にストレート形状をなしている。
この実施形態において、この曲り形状を成す掛止部１０４は、図５中ストレート形状部１０２の延長線Ｐ方向における寸法Ｌが２ｍｍ，角度θが２０°，先端１０６の延長線Ｐからの偏位量ｘが０．７３ｍｍとされている。
またこの曲り形状を成す掛止部１０４は、主弁６２の中心側に向う内向きの曲り形状で設けてある。
尚ここでは導入小孔８４の内径φ０．７ｍｍに対して、クリーニングピン９７の外径がφ０．６ｍｍとされている。
但し導入小孔８４の内径，クリーニングピン９７の外径は給水弁の種類や特性に応じて変化する。
【００５２】
図６は、クリーニングピン９７の作用を模式的に表している。
この実施形態において、クリーニングピン９７は次のようにして主弁６２に組み付ける。
即ち図６（Ａ）に示しているようにコイルばね９５を手に持ってその全体を傾けながら、掛止部１０４の先端１０６を主弁６２の導入小孔８４に先ず嵌め入れ、更にクリーニングピン９７を図中上向きに押し上げる。
【００５３】
このとき、掛止部１０４はストレート形状部１０２に対し角度θ＝２０°で折れ曲がっているため、図６（II）に示すようにそのままの形状では導入小孔８４を上向きに通過することができない。
そこでクリーニングピン９７に対して強く押込力を加えると、掛止部１０４が角度θを小さくする方向に、つまり広がり方向に弾性変形し、その弾性変形を伴って掛止部１０４が導入小孔８４を上向きに通過する。
【００５４】
そして掛止部１０４が導入小孔８４を通過して主弁６２から突き出したところで、弾性変形していた掛止部が形状復元し、再び角度θで折れ曲った形状となる（図６（Ａ）（III），（IV））。
そして掛止部１０４が主弁６２に対し、クリーニングピン９７の抜け方向に掛止可能な状態となる。
【００５５】
その後コイルばね９５を背圧室８２内にセットすることで、具体的には図中上端側を主弁６２に当接させ、下端側をダイヤフラム押え７２の底部に当接させるようにセットすることで、自動的にクリーニングピン９７が図３（Ａ）中上下方向に配向した状態となる。
【００５６】
図６（Ｂ）は、主弁６２及びクリーニングピン９７をコイルばね９５とともに他から分離したときの状態を表している。
このとき、クリーニングピン９７は自重により主弁６２に対し図中下向きに相対移動しようとするが、曲り形状の掛止部１０４が主弁６２に掛止することで、クリーニングピン９７がコイルばね９５とともに主弁６２から図中下向きに抜け、脱落するのが防止される。
【００５７】
クリーニングピン９７における掛止部１０４は、主弁６２に対して組付可能であること、即ち掛止部１０４が主弁６２の導入小孔８４を図中上側に突き抜けるまでクリーニングピン９７を導入小孔８４に挿通可能であること、一方で主弁６２及びクリーニングピン９７を他から分解したときに、掛止部１０４が導入小孔８４を下向きに通過して抜けてしまわないことが必要で、そのためには掛止部１０４の曲り角度θを５°〜４５°の範囲内となしておくことが望ましい。より望ましくは角度θを１５°〜３５°の範囲内としておく。
また掛止部１０４を傾斜した曲り形状とすると否とに拘らず先端１０６の延長線Ｐに対する軸直角方向の偏位量ｘを０．５〜３．０ｍｍの範囲内としておくことが望ましい。
【００５８】
以上のような本実施形態の給水弁装置１００にあっては、クリーニングピン９７が主弁６２に対し抜け方向に移動したときに、クリーニングピン９２の先端側の曲り形状をなす掛止部１０４が主弁６２に掛止することで、クリーニングピン９７が主弁６２から抜け、外れてしまうのを有効に防止することができる。
【００５９】
従って本実施形態によれば、工場での組付時や現場でのメンテナンス作業時に、主弁６２からクリーニングピン９７が外れて紛失してしまうのを防止することができる。
また一旦外れたクリーニングピン９７を主弁６２の導入小孔８４に挿通作業するといったことが必要ないので、工場での組付けや現場でのメンテナンス作業が容易となる。
【００６０】
またクリーニングピン９７を主弁６２以外の他部品に固定しておく必要もなくなるので、固定のための部品点数が多くなるといったこともなく、給水弁装置１００の所要部品点数を少なくし得、またコストを低減することができる。
更にクリーニングピン９７を主弁６２以外の他部品に固定するための工数を不要化することができる。
【００６１】
また本実施形態では、クリーニングピン９７の掛止部１０４を、内向きの曲り形状となしてあるため、これを主弁６２の導入小孔８４に挿入する際の作業性が良く、主弁６２に対するクリーニングピン９７の組付けを作業性良く簡単に行うことができる。
尚、図７は掛止部１０４を湾曲形状の曲り部として構成した参考例である。
【００６２】
以上本発明の実施形態を詳述したがこれはあくまで一例示である。
例えば上記実施形態では給水弁が開閉弁を成しているが、給水弁が流量調節機能を有する給水弁装置に対して本発明を適当すること、また本発明を水栓の給水弁その他の給水弁に適用することも可能である等、本発明はその趣旨を逸脱しない範囲において種々変更を加えた形態で構成可能である。
【符号の説明】
【００６３】
５６  水路（主水路）
５８  給水弁
６２  主弁
６４  主弁座
８２  背圧室
８４  導入小孔
８６  パイロット水路
８８  パイロット弁
９５  コイルばね
９７  クリーニングピン
１００  給水弁装置
１０２  ストレート形状部
１０４  掛止部
【図１】
0005484960.tif 000002
【図２】
0005484960.tif 000003
【図３】
0005484960.tif 000004
【図４】
0005484960.tif 000005
【図５】
0005484960.tif 000006
【図６】
0005484960.tif 000007
【図７】
0005484960.tif 000008